(57)【要約】【課題】マスターＰＢＸ１の障害発生時、各スレーブ局の電話機を非常用電話機として使用できない。【解決手段】マスターＰＢＸ１が正常時にはマスターＮＣＵ４はリレー４３１により公衆網の局線２とマスターＰＢＸ１への入力信号線を接続し、スレーブＮＣＵ４０１はリレー４３４によりスレーブＰＢＸの電話機３１とスレーブＰＢＸの出力信号線を接続する。マスター切り替え装置１８は、マスターＰＢＸ１がシステムダウン時にはマスターＮＣＵ４とスレーブＮＣＵ４０１に切り替え情報を送出する。マスターＮＣＵ４は、切り替え情報を受けるとリレー４３１、４３２を切り替えることにより公衆網の局線２とＮＣＵ通話路線８を接続する。スレーブＮＣＵ４０１は、切り替え情報を受けるとリレー４３３、４３４を切り替えることによりＮＣＵ通話路線８とスレーブ電話機３１とを接続する。【選択図】　　　図１
2004129094.tif 000002
【特許請求の範囲】
【請求項１】
公衆網を引き込んだマスターＰＢＸとその配下のスレーブＰＢＸとがネットワークで接続されたＰＢＸシステムにおける非常電話機切り替え方法において、前記マスターＰＢＸにはマスターＮＣＵを前記スレーブＰＢＸにはスレーブＮＣＵを、さらに前記マスターＮＣＵと前記スレーブＮＣＵの切り替え制御をするマスター切り替え装置を予め用意し、前記マスターＮＣＵと前記スレーブＮＣＵは専用のＮＣＵ通話路線で接続され、前記マスターＮＣＵの入力側には前記公衆網の局線と前記マスターＰＢＸへの入力信号線が接続され前記スレーブＮＣＵの出力側には前記公衆網の局線に予め対応づけられた前記スレーブＰＢＸの電話機と前記スレーブＰＢＸの出力信号線が接続され、前記マスターＰＢＸが正常時には前記マスターＮＣＵはリレー１により前記公衆網の局線と前記マスターＰＢＸへの前記入力信号線を接続し前記スレーブＮＣＵはリレー２により前記スレーブＰＢＸの前記電話機と前記スレーブＰＢＸの前記出力信号線を接続するように構成されたシステムにあって、前記マスター切り替え装置は前記マスターＰＢＸが異常時には前記マスターＮＣＵと前記スレーブＮＣＵに切り替え情報を送出し、前記切り替え情報を受けた前記マスターＮＣＵは前記リレー１を切り替えることにより前記公衆網の局線と前記ＮＣＵ通話路線を接続し前記切り替え情報を受けた前記スレーブＮＣＵは前記リレー２を切り替えることにより前記ＮＣＵ通話路線と前記スレーブＰＢＸの前記電話機とを接続することを特徴とするＰＢＸシステムにおける非常電話機切り替え方法。
【請求項２】
前記マスターＰＢＸが異常時とは、前記マスターＰＢＸがシステムダウンした状態であることを特徴とする請求項１記載のＰＢＸシステムにおける非常電話機切り替え方法。
【請求項３】
前記スレーブＰＢＸが複数存在することを特徴とする請求項１記載のＰＢＸシステムにおける非常電話機切り替え方法。
【請求項４】
公衆網を引き込んだマスターＰＢＸとその配下のスレーブＰＢＸとがネットワークで接続されたＰＢＸシステムにおける非常電話機切り替え方式において、前記マスターＰＢＸにはマスターＮＣＵを前記スレーブＰＢＸにはスレーブＮＣＵを、さらに前記マスターＮＣＵと前記スレーブＮＣＵの切り替え制御をするマスター切り替え装置を予め具備し、前記マスターＮＣＵと前記スレーブＮＣＵは専用のＮＣＵ通話路線で接続され、前記マスターＮＣＵの入力側には前記公衆網の局線と前記マスターＰＢＸへの入力信号線が接続され前記スレーブＮＣＵの出力側には前記公衆網の局線に予め対応づけられた前記スレーブＰＢＸの電話機と前記スレーブＰＢＸの出力信号線が接続され、前記マスターＰＢＸが正常時には前記マスターＮＣＵはリレー１により前記公衆網の局線と前記マスターＰＢＸへの前記入力信号線を接続し前記スレーブＮＣＵはリレー２により前記スレーブＰＢＸの前記電話機と前記スレーブＰＢＸの前記出力信号線を接続するように構成されたシステムにあって、前記マスターＰＢＸが異常時には前記マスターＮＣＵと前記スレーブＮＣＵに切り替え情報を送出する前記マスター切り替え装置と、前記切り替え情報を受けると前記リレー１を切り替えることにより前記公衆網の局線と前記ＮＣＵ通話路線を接続する前記マスターＮＣＵと、前記切り替え情報を受けると前記リレー２を切り替えることにより前記ＮＣＵ通話路線と前記スレーブＰＢＸの前記電話機とを接続する前記スレーブＮＣＵとを含んで構成されることを特徴とするＰＢＸシステムにおける非常電話機切り替え方式。
【請求項５】
前記マスターＰＢＸが異常時とは、前記マスターＰＢＸがシステムダウンした状態であることを特徴とする請求項４記載のＰＢＸシステムにおける非常電話機切り替え方式。
【請求項６】
前記スレーブＰＢＸが複数存在することを特徴とする請求項４記載のＰＢＸシステムにおける非常電話機切り替え方式。
【発明の詳細な説明】
【０００１】
【発明の属する技術分野】
本発明は、ＰＢＸシステムにおける非常電話機切り替え方法及びＰＢＸシステムにおける非常電話機切り替え方式に関し、特に、ＰＢＸの同一敷地内の複数社屋にて構築されたＰＢＸネットワークにおいて、マスター局の非常時または、マスター局からの任意の指示により、マスター局を含め各スレーブ局側の任意の電話機を非常用電話機に切り替え、マスター局を介在させず直接公衆網接続を行うＰＢＸシステムにおける非常電話機切り替え方法及びＰＢＸシステムにおける非常電話機切り替え方式に関する。
【０００２】
【従来の技術】
従来、局間中継線で結ばれている２局の自動電話交換機において、第１局（又は第２局）の自動電話交換機が何らかの理由により稼働停止した場合は、一般的には２局間の通信は不可能になる。このような場合、最低限の通信を確保するために、第１局（又は第２局）から第２局（又は第１局）に対して自動的に、自動電話交換機が稼働不能になったことを通知し、第１局（又は第２局）ではこの通知により予め決められている特定の電話加入者を直接局間中継線に接続し、第２局（又は第１局）では局間中継線を自局の内線加入電話回線扱いとするようにしている（例えば、特許文献１参照。）。
【０００３】
一方、ＰＢＸと公衆網との関係にあっては、ＰＢＸが何らかの理由により稼働停止した場合は、最低限の通信を確保するために、予め決められている特定の電話加入者を直接公衆網に接続するようにしている。
【０００４】
図３は、従来のＰＢＸネットワークにおける非常電話切り替え方式の一実施の形態を示すシステム構成図であり、公衆網２を引き込んだマスターＰＢＸ１と、その配下スレーブＰＢＸ７１，７２，７３とがＰＢＸネットワーク６により結合されたシステム構成を示している。
【０００５】
ＰＢＸは、公衆網や専用線と接続するトランク回路（以下ＣＯＴとする）と、該ＣＯＴとスイッチ回路（以下ＳＷとする）を介して接続される、複数の内線回路（以下ＬＣとする）と、該ＬＣに接続される電話機などの端末を備えている。
【０００６】
図３に示すように、マスターＰＢＸ１に障害が発生した場合と、任意の条件により切り替えを行う場合において、障害によるシステムの復旧するまでの間と、任意による切り戻しを行う間は、マスターＰＢＸ１に接続されるマスター電話機３から、公衆網２への接続が不可能となってしまう。そこで、その間の通信手段を確立しなければならないため、マスターＰＢＸ１には夜間本電話機切り替え装置４（以下ＮＣＵとする）により、マスターＰＢＸ１すなわちＣＰＵ１１の制御によりＣＯＴ１３とＬＣ１４との接続を行うＳＷ１１等のＰＢＸの接続処理を介在させず、直接、公衆網２と電話機３の接続を行い、外部との通信を確保する。
【０００７】
具体的制御方法を以下に説明する。
【０００８】
ＮＣＵ４の切り替え制御は、ＮＣＵ制御装置５による手動切り替えと、マスターＰＢＸ１の障害（電源断、システムダウン、本体ＣＰＵ１２からの指示）による自動切り替えがある。ＮＣＵ４はリレー回路４１１，４１２により構成されており、通常運用時にはリレー接点部４１１，４１２の破線で示す接続となり、マスターＰＢＸ１と接続され、公衆網２からＣＯＴ１３、ＳＷ１１を介してＬＣ１４と接続され、電話機３が普通の内線電話機として使用可能となっている。これが前述の切り替え要因により切り替え制御となった場合に、電話機３は非常用電話として、図１のリレー接点部４１１，４１２の実線で示す接続となり、マスターＰＢＸ１を介在することなく、直接公衆網２と接続する事ができる。
【０００９】
【特許文献１】
特開商５７−０２５７６０（第１頁右下〜第２頁左上）
【００１０】
【発明が解決しようとする課題】
しかしながら、上述した従来のＰＢＸシステムにおける非常電話切り替え方式には、次のような問題がある。
【００１１】
第１の問題点は、図３で示す通り、公衆網２の収容を全てマスターＰＢＸ１とし、これを中心とした複数の配下スレーブＰＢＸ７１，ＰＢＸ７２，ＰＢＸ７３によるネットワークを構築した場合においては、マスターＰＢＸ１の障害発生時、非常電話機切り替え制御による公衆網２と非常電話機との接続が、マスターＰＢＸ１に収容される電話機３のみとなってしまい、各スレーブ局のスレーブ電話機３１，３２，３３を非常用電話機として使用できないことである。
【００１２】
その理由は、マスターＰＢＸ１の障害発生時のＮＣＵ制御装置５による切り替え情報が、ＰＢＸネットワーク内の各スレーブＰＢＸに伝わらない事と、各スレーブＰＢＸと公衆網２との物理的接続が用意されていないためである。
【００１３】
本発明の目的は、ＰＢＸネットワークにおいて、マスターＰＢＸの障害発生時、マスター局のＮＣＵ制御装置による、マスター局を含めた各スレーブ局に対しての切り替え制御を行う事により、各スレーブ局の電話機を非常用電話機として使用できるようにするＰＢＸネットワークシステムを提供することにある。
【００１４】
【課題を解決するための手段】
本願の第１の発明は、公衆網を引き込んだマスターＰＢＸとその配下のスレーブＰＢＸとがネットワークで接続されたＰＢＸシステムにおける非常電話機切り替え方法において、前記マスターＰＢＸにはマスターＮＣＵを前記スレーブＰＢＸにはスレーブＮＣＵを、さらに前記マスターＮＣＵと前記スレーブＮＣＵの切り替え制御をするマスター切り替え装置を予め用意し、前記マスターＮＣＵと前記スレーブＮＣＵは専用のＮＣＵ通話路線で接続され、前記マスターＮＣＵの入力側には前記公衆網の局線と前記マスターＰＢＸへの入力信号線が接続され前記スレーブＮＣＵの出力側には前記公衆網の局線に予め対応づけられた前記スレーブＰＢＸの電話機と前記スレーブＰＢＸの出力信号線が接続され、前記マスターＰＢＸが正常時には前記マスターＮＣＵはリレー１により前記公衆網の局線と前記マスターＰＢＸへの前記入力信号線を接続し前記スレーブＮＣＵはリレー２により前記スレーブＰＢＸの前記電話機と前記スレーブＰＢＸの前記出力信号線を接続するように構成されたシステムにあって、前記マスター切り替え装置は前記マスターＰＢＸが異常時には前記マスターＮＣＵと前記スレーブＮＣＵに切り替え情報を送出し、前記切り替え情報を受けた前記マスターＮＣＵは前記リレー１を切り替えることにより前記公衆網の局線と前記ＮＣＵ通話路線を接続し前記切り替え情報を受けた前記スレーブＮＣＵは前記リレー２を切り替えることにより前記ＮＣＵ通話路線と前記スレーブＰＢＸの前記電話機とを接続することを特徴とする。
【００１５】
本願の第２の発明は、第１の発明の前記マスターＰＢＸが異常時とは、前記マスターＰＢＸがシステムダウンした状態であることを特徴とする。
【００１６】
本願の第３の発明は、第１の発明の前記スレーブＰＢＸが複数存在することを特徴とする。
【００１７】
本願の第４の発明は、公衆網を引き込んだマスターＰＢＸとその配下のスレーブＰＢＸとがネットワークで接続されたＰＢＸシステムにおける非常電話機切り替え方式において、前記マスターＰＢＸにはマスターＮＣＵを前記スレーブＰＢＸにはスレーブＮＣＵを、さらに前記マスターＮＣＵと前記スレーブＮＣＵの切り替え制御をするマスター切り替え装置を予め具備し、前記マスターＮＣＵと前記スレーブＮＣＵは専用のＮＣＵ通話路線で接続され、前記マスターＮＣＵの入力側には前記公衆網の局線と前記マスターＰＢＸへの入力信号線が接続され前記スレーブＮＣＵの出力側には前記公衆網の局線に予め対応づけられた前記スレーブＰＢＸの電話機と前記スレーブＰＢＸの出力信号線が接続され、前記マスターＰＢＸが正常時には前記マスターＮＣＵはリレー１により前記公衆網の局線と前記マスターＰＢＸへの前記入力信号線を接続し前記スレーブＮＣＵはリレー２により前記スレーブＰＢＸの前記電話機と前記スレーブＰＢＸの前記出力信号線を接続するように構成されたシステムにあって、前記マスターＰＢＸが異常時には前記マスターＮＣＵと前記スレーブＮＣＵに切り替え情報を送出する前記マスター切り替え装置と、前記切り替え情報を受けると前記リレー１を切り替えることにより前記公衆網の局線と前記ＮＣＵ通話路線を接続する前記マスターＮＣＵと、前記切り替え情報を受けると前記リレー２を切り替えることにより前記ＮＣＵ通話路線と前記スレーブＰＢＸの前記電話機とを接続する前記スレーブＮＣＵとを含んで構成されることを特徴とする。
【００１８】
本願の第５の発明は、第３の発明の前記マスターＰＢＸが異常時とは、前記マスターＰＢＸがシステムダウンした状態であることを特徴とする。
【００１９】
本願の第６の発明は、第３の発明の前記スレーブＰＢＸが複数存在することを特徴とする。
【００２０】
【発明の実施の形態】
次に、本発明の実施の形態について図面を参照して詳細に説明する。
【００２１】
図１は、本発明の一実施の形態を示すシステム構成図であり、図３で示した従来のシステムに対し、マスター切り替え装置１８が追加され、マスターＰＢＸ１のＮＣＵ４とスレーブ１ＰＢＸ７１（スレーブ２ＰＢＸ７２，スレーブ３ＰＢＸ７３も同様）のＮＣＵ４０１（ＮＣＵ４０２，ＮＣＵ４０３も同様）との関係が示されている。
【００２２】
図１において、マスターＰＢＸがシステムダウンした場合、マスター切り替え装置１８から、スレーブ１ＰＢＸ７１（スレーブ２ＰＢＸ７２，スレーブ３ＰＢＸ７３も同様）のＮＣＵ４０１（ＮＣＵ４０２，ＮＣＵ４０３も同様）および、マスターＰＢＸ１のＮＣＵ４に対して切り替え情報を送出することにより、マスターＰＢＸ１のＮＣＵ４と、スレーブ１ＰＢＸ７１のＮＣＵ４０１を物理的に接続線８により接続することで、スレーブ１ＰＢＸ７１のスレーブ電話機３１が、マスター切り替え装置１８からの制御により、マスターＰＢＸ１およびスレーブ１ＰＢＸ７１を介さずに、直接公衆網２へと接続する事ができる。
【００２３】
以下に、ＮＣＵ制御による電話機の切り替え動作について説明を行う。
【００２４】
マスターＰＢＸ１に収容されているマスターＮＣＵ４と、スレーブ１ＰＢＸ７１に収容されているスレーブＮＣＵ４０１は、物理的にＮＣＵ用通話路線８で接続されている。通常運用状態では、マスターＮＣＵ４内のスレーブ１ＰＢＸ７１向け接点４３１，４３２と、スレーブＮＣＵ４０１内の接点４３３，４３４の破線で示す通りの接続となっており、通常のＰＢＸネットワーク６を経由した接続となっている。
【００２５】
尚、図には示していないが、マスターＮＣＵ４内には、本図と同様の回路が、マスターＰＢＸ１、スレーブ２ＰＢＸ７２，スレーブ３ＰＢＸ７３用に３つ用意されているものとする。
【００２６】
図１から、スレーブ１ＰＢＸ７１のスレーブＬＣ７４に接続された電話機３１は通常の電話機として、マスターＰＢＸ１のＣＯＴ１３を経由して局線網２へ接続することも可能であり、また、内線用としての接続も可能となる。しかし、前述したマスター切り替え装置１８からの切り替え制御信号を、マスターＮＣＵ４及びスレーブＮＣＵ４０１が受信し、指示通りの各ＰＢＸがＮＣＵ切り替え状態となった場合には、マスターＮＣＵ４内スレーブ１ＰＢＸ７１向けの接点４３１，４３２および、スレーブＮＣＵ４０１内の接点４３３，４３４は実線で示された接続となり、スレーブ１ＰＢＸ７１の電話機３１は、マスターＰＢＸ１及びスレーブ１ＰＢＸ７１を介在することなく、ＮＣＵ用通話路線８により、スレーブ１ＰＢＸ７１向け局線２１のルート（ＮＣＵ起動時にはルート固定となる）を通り直接局線網２へ接続することが可能となる。ここではスレーブ１ＰＢＸ７１に対しての説明を行っているが、スレーブ２ＰＢＸ７２およびスレーブ３ＰＢＸ７３に対しも同じ制御（局線２１、局線２２のルートを通り直接局線網２へ接続）となるため、割愛する。
【００２７】
これにより、ＰＢＸネットワーク６内で、マスターＰＢＸ１に収容されたマスター切り替え装置１８によるＮＣＵ切り替え制御により、各スレーブＰＢＸ７１，７２，７３の任意の電話機３１，３２，３３が、マスターＰＢＸ１の電話機と同様に、局線網２へ直接接続する事が可能な非常用電話機接続となり、非常時の状態における通話路確保が実現できる。
【００２８】
次に、図２は、マスター切り替え装置１８のマスターＰＢＸ１のＮＣＵ４を含めた各スレーブＰＢＸの各スレーブＮＣＵ４０１，４０２，４０３に対しての切り替え情報送出方式を示す図である。
【００２９】
図２において、ループ監視回路１９は外部からの接点ループ情報、つまり、マスターＰＢＸ１の障害情報（電源断、システム断、本体ＣＰＵからの指示時におけるシステム断検出回路１１２からの情報）により駆動された接点１７のループによる、切り替え指示の監視を行っている。切り替え指示のループ状態は、通常オープン状態にある入力端子Ａ１５に、入力端子Ｂ１６のＧＮＤレベルが、接点１７をとおして通知されたときループ監視回路１９により検知される。
【００３０】
これにより、ループ監視回路１９はリレー動作回路１１０に対して、各ＰＢＸ向けのリレー接点１１１を閉じる（ループ制御）制御を行い、各ＰＢＸ向けのリレー接点Ａ０とリレー接点Ｂ０をループする事により、ＧＮＤレベルを通知させる。各ＰＢＸに収容されているＮＣＵ４，４０１，４０２，４０３は、ＮＣＵ起動指示を判断する入力端子に、マスター切り替え装置１８のループ制御による、ＧＮＤレベル通知を検知したことにより、各ＮＣＵ４，４０１，４０２，４０３内のＮＣＵ起動回路が動作し、図１で示される通り、ＰＢＸネットワーク６上の各ＰＢＸで任意に決められている電話機３１，３２，３３を非常用電話機として局線と直結する。
【００３１】
【発明の効果】
以上説明したように、本発明においては、マスター局がシステムダウンした場合、マスター局のマスター切り替え装置が自動的に切り替え情報を、マスターＮＣＵおよび各スレーブＮＣＵに送出し、各ＮＣＵがマスターＰＢＸおよび各スレーブＰＢＸに接続されている決められた電話機を局線と直結するようにしたことにより、マスターＰＢＸおよび各スレーブＰＢＸに接続されている決められた電話機が非常用電話機として、外部との通信手段を確保できる効果がある。
【図面の簡単な説明】
【図１】本発明の一実施の形態を示すシステム構成図である。
【図２】マスター切り替え装置１８のマスターＰＢＸ１のＮＣＵ４を含めた各スレーブＰＢＸの各ＮＣＵ４０１，４０２，４０３に対しての切り替え情報送出方式を示す図である。
【図３】従来のＰＢＸネットワークにおける非常電話切り替え方式の一実施の形態を示すシステム構成図である。
【符号の説明】
１　　マスターＰＢＸ
２　　公衆網
３　　マスター電話機
４　　マスターＮＣＵ
５　　ＮＣＵ制御装置
６　　ＰＢＸネットワーク
８　　ＮＣＵ通話路線
１１　　ＳＷ
１２　　ＣＰＵ
１３　　ＣＯＴ
１４　　ＬＣ
１５　　入力端子Ａ
１６　　入力端子Ｂ
１７　　接点
１８　　マスター切り替え装置
１９　　ループ監視回路
３１，３２，３３　　スレーブ電話機
７１，７２，７３　　スレーブＰＢＸ
７４　　スレーブＬＣ
１１０　　リレー動作回路
１１１　　リレー接点
１１２　　システム断検出回路
４０１，４０２，４０３　　スレーブＮＣＵ
４１１，４１２，４３１，４３２，４３３，４３４　　ＮＣＵ内接点
【図１】
2004129094.tif 000003
【図２】
2004129094.tif 000004
【図３】
2004129094.tif 000005